(57)【要約】      （修正有）【課題】成人であっても入浴時に興味を引く要素を付与し、無理なく入浴時間を長く確保することができ、リラクゼーション効果をより高めることができ、さらに、経済的に無駄のないようにした入浴用玩具を提供する。【解決手段】少なくとも水面に浮上可能な浮き部１３と、電気回路１４と、この電気回路１４の短絡により所定の機能を発揮する動作部１５と、この動作部１５に電力を供給する電源部１８とをハウジング１２の内部に密封収容すると共に、電気回路１４の電路を開閉する一対の電極１６，１７がハウジング１２の外部に露呈して配された構造を有する玩具１０を、水溶性の固体入浴剤の内部に埋入し、加圧成形により所望の形状にして玩具入り入浴剤とする。電気回路１４の短絡により発揮する所定の機能とは、たとえば、発光装置１５の点灯や、発音装置によるメロディ又は音声の発生をいう。【選択図】図２
0003188572.tif 000002
【実用新案登録請求の範囲】
【請求項１】
加圧成形された水溶性固形剤の内部に玩具を埋入した入浴用玩具であって、
前記玩具は、ハウジングの内部に少なくとも、水面に浮上可能な浮き部と、電気回路と、該電気回路の短絡により所定の機能を発揮する動作部と、該動作部に電力を供給する電源部とを密封収容すると共に、前記電気回路の電路を開閉する一対の電極が前記ハウジングの外部に露呈して配された構造になっていることを特徴とする入浴用玩具。
【請求項２】
前記動作部は、前記電気回路の短絡により点灯する発光装置であることを特徴とする請求項１に記載の入浴用玩具。
【請求項３】
前記発光装置は、複数の発光部を備えていることを特徴とする請求項２に記載の入浴用玩具。
【請求項４】
前記発光装置は、経時的に色彩が変化する機能を備えることを特徴とする請求項２又は３に記載の入浴用玩具。
【請求項５】
前記動作部は、前記電気回路の短絡によりメロディ又は音声を発生する発音装置であることを特徴とする請求項１に記載の入浴用玩具。
【請求項６】
前記水溶性固形剤は、入浴剤であることを特徴とする請求項１乃至５の何れか１項に記載の入浴用玩具。
【考案の詳細な説明】
【技術分野】
【０００１】
本願考案は、入浴用玩具に係り、詳しくは、水溶性の固形剤の中に埋入され、入浴時に浴槽の中へ投入することで、固形剤が溶けて中から露呈し浮上する、入浴時に用いることができる入浴用玩具に関する。
【背景技術】
【０００２】
従来、入浴時に用いる玩具を固形浴用剤の中に埋入し、この固形浴用剤を浴槽の湯の中に入れることで、固形浴用剤が溶けて内部の玩具が水面に浮上するようになっている入浴剤が提案されている（たとえば、特許文献１，３を参照）。
また、玩具によっては、その重さ（比重）によって水面に浮上せずに沈んだままの状態であるものもあるため、浮力を有する開封可能なカプセル（ハウジング）等の内部に玩具を入れた入浴剤も提案されている（たとえば、特許文献２，３を参照）。
【０００３】
このような玩具入り入浴剤は、入浴剤が溶けることで浴槽の湯に香気や薬効を与えると共に、溶解する入浴剤の中から玩具が出てくるという楽しみを付与するものである。つまり、入浴剤の中から出てきた玩具を用いて湯に浸かりながら遊ぶことで、自然と入浴時間を長く確保することができ、湯中に溶けた入浴剤の効能によって無理なく身体を温めることができるとするものである。
【０００４】
しかしながら、入浴剤の中に埋入されている玩具は、幼児を対象としたものであるため、単にその形状や模様、色彩を種々変化させるように工夫をしたものしかなく、成人にとっては興味を引く要素がなく、面白みに欠けるものである。ゆえに、入浴剤の中に玩具が埋入されていても成人は玩具で遊ぶことは少なく、玩具によって入浴時間を長く確保し、リラクゼーション効果を高めるようにすることは期待できない。
【０００５】
また、カプセル入り玩具の場合、固形浴用剤が溶けて埋入した玩具が浮上した後に、カプセルの中から玩具を取り出さなければならず、手が濡れている場合にその開封作業が煩わしいものと感じられる場合がある。しかも、入浴剤や玩具以外に、入浴の際には必要のないカプセルを必要とするものであって、その分だけコストを負担しなければならない。さらに、このカプセルは廃棄されることが多く、玩具の浮上には必要なものでありながら、経済的に無駄なものであるという感が否めないものである。
【０００６】
このように、これまでの入浴用玩具は、玩具よりも入浴剤が主たる要素となっているものであり、成人であっても入浴時に興味を引く要素を有し、入浴時に用いる玩具であることを主たる要素として入浴時間を長く確保して、リラクゼーション効果を高めるようにした入浴用玩具は、出願人が知る限り何ら提案されていない。
【先行技術文献】
【特許文献】
【０００７】
【特許文献１】特開平１０−３０６０２１号公報
【特許文献２】特許２００４−１２３６５４号公報
【特許文献３】登録実用新案第３１６４１０８号公報
【考案の概要】
【考案が解決しようとする課題】
【０００８】
本考案は、上記事情に鑑みて成されたものであり、成人であっても入浴時に興味を引く要素を付与し、無理なく入浴時間を長く確保することができ、リラクゼーション効果をより高めることができ、さらに、経済的に無駄のないようにした入浴用玩具を提供することを目的とする。
【課題を解決するための手段】
【０００９】
本考案の入浴用玩具は、加圧成形された水溶性固形剤の内部に玩具を埋入した入浴用玩具であって、前記玩具が、ハウジングの内部に少なくとも、水面に浮上可能な浮き部と、電気回路と、該電気回路の短絡により所定の機能を発揮する動作部と、該動作部に電力を供給する電源部とを密封収容すると共に、前記電気回路の電路を開閉する一対の電極が前記ハウジングの外部に露呈して配された構造になっていることを特徴とする。
【００１０】
本考案では、前記動作部を、電気回路の短絡により点灯する発光装置とすることができる。
この発光装置は、単一の発光部を備えるものとしても、複数の発光部を備えるものとしても良い。また、複数の発光部を備える場合、発光部は全て同一の色彩を呈するものでも良いし、発光部ごとに異なる色彩を呈するものでも良い。
また、発光装置は、単一のもしくは複数の発光部が、経時的に色彩が変化する機能を備えるものとしても良い。
【００１１】
さらに、本考案では、前記動作部を、電気回路の短絡によりメロディ又は音声を発生する発音装置とすることができる。
【００１２】
そして、本考案では、前記水溶性固形剤を、香気や薬効を有する入浴剤とすることもできる。
【考案の効果】
【００１３】
本考案の入浴用玩具は、玩具が、所定の機能を発揮する動作部をハウジングの内部に密封収容すると共に、一対の電極がハウジングの外部に露呈して配された構造になっている。
ゆえに、入浴用玩具を浴槽の中に入れる前は、電極部が外部に露呈していても、電極部は水溶性固形剤で全体的に覆われているので無暗に短絡することがないが、入浴用玩具を浴槽の中に入れると、水溶性固体剤が徐々に湯に溶解し、分散することに伴って電極部が露呈し、浴槽の湯が媒介となって（電流を通すことで）自動的に短絡し、動作部が所定の機能を自動的に発揮するものとなる。また、玩具は、ハウジングの内部に浮き部を密封収容するので、水溶性固体剤が徐々に溶解することに伴い、その浮力によって自動的に浮上するものとなる。
【００１４】
したがって、成人であっても入浴時に興味を引く要素を付与し、無理なく入浴時間を長く確保することができ、リラクゼーション効果をより高めることが期待できると共に、経済的に無駄のないようにした新たな入浴用玩具を提供することができる。
【図面の簡単な説明】
【００１５】
【図１】本考案に係る入浴用玩具を示す（Ａ）斜視図、（Ｂ）中央縦断面図である。
【図２】本考案に係る入浴用玩具を構成する水溶性固形剤の中に埋入された玩具の構造を説明する概略断面図である。
【図３】本考案に係る入浴用玩具の使い方を順次説明する図である。
【図４】本考案に係る入浴用玩具を構成する水溶性固形剤の中に埋入された他の玩具の構造を説明する概略断面図である。
【図５】本考案に係る入浴用玩具を構成する水溶性固形剤の中に埋入された他の玩具の構造を説明する概略断面図である。
【考案を実施するための形態】
【００１６】
以下、本考案における実施の形態の一例について、図面を参照してそれぞれ説明する。
本実施の形態では、水溶性固形剤として香気や薬効を備える入浴剤を用い、その中に浴槽の中において発光する玩具を埋入した入浴用玩具について説明する。
なお、以下に述べる実施の形態は、本考案の好適な具体例であるため技術的に種々の限定が付されているが、本考案の範囲は、以下の説明において特に限定する旨の記載がない限り、これらの形態に限られるものではない。
【００１７】
＜第１の実施の形態＞
本実施の形態における入浴用玩具１は、図１に示すように、固形入浴剤１１と玩具１０とから構成される。
固形入浴剤１１は、浴槽の中に入れることで容易に溶ける水溶性の物質であり、内部に玩具１０を埋入して加圧成形されている。
【００１８】
固形入浴剤１１の原料は、特に限定されないが、発泡性成分としての有機酸及び炭酸塩、原料固化成分、原料固化成分の溶剤、比重調整剤、酵素、界面活性剤、香料、色素、各種薬効作用や温泉作用を有する成分等を原料として用い、各配合割合は入浴剤の種類、所望の目的等に応じて適宜決定することができるものとなっている。
また、固形入浴剤１１は、たとえば、重曹（炭酸水素ナトリウム）の結晶粉末を圧縮して所定の形状に押し固めたものとすることができる。
【００１９】
このような固形入浴剤１１は、炭酸ガスの泡を発生しつつ溶けるものであり、中から玩具１０が出て来る面白みを有すると共に、発生する炭酸ガスに基づく温浴効果や、炭酸ガスの泡によるマッサージ効果も期待することができる。また、皮膚の毛細血管や皮下の血管が広げて血流を良くし、体内の老廃物や疲労物質の除去ができると共に、コリがほぐれ疲れが取れる効能を有する。
また、固形入浴剤１１は、例えば、球体に成形され、保存または貯蔵中における乾燥を防止するために、ポリエチレンフィルム等の包装体内に封入されている。
【００２０】
玩具１０は、図２に示すように、ハウジング１２と、浮き部１３と、電気回路１４と、動作部としての発光装置１５と、一対の電極１６，１７と、電源部１８とを少なくとも備える。
【００２１】
ハウジング１２は、その内部に浮き部１３を備えると共に、スイッチ機構の電気回路１４や発光装置１５、電源部１８等を密封収容することが可能な中空のケース部材であって、プラスチックにより構成されている。
また、ハウジング１２は、電気回路１４の電路を開閉する一対の電極１６，１７を、底面より外側（外部）にそれぞれ露呈して配したものとなっている。
このハウジング１２は、発光装置１５の点灯による光が外部へ放射されるように、少なくとも発光装置１５を覆う領域の一部が透明なものとなっている。
【００２２】
浮き部１３は、当該玩具１０を水中から浮き上がらせるように機能するものであれば良く、空気を封入した中空部や、浮力を有する発泡材から構成されるものであっても良い。
【００２３】
電気回路１４は、発光装置１５が点灯又は消灯するように、複数の電気的素子が接続されて設計されたものであり、たとえば、発光装置１５が電路を開閉に応じて単に点灯又は消灯するだけでなく、電気回路１４の電路が閉じた（スイッチが入っている）状態の時に、間欠的に点灯又は消灯を繰り返したり、発光装置が経時的に色彩が変化したりするように適宜設計されている。
【００２４】
発光装置１５は、スイッチ機構での電気回路１４の電路の開閉により点灯又は消灯する、たとえば発光ダイオード（ＬＥＤ）や電球等の発光器をいう。この発光装置１５としては、高輝度を確保した点灯が可能となるので発光ダイオードを採用することが望ましい。また、発光ダイオードの発光色は、赤、青、緑、黄、白等があり、適宜発光色を選択して使用すると良い。また、一定時間ごとに経時的に発光色（色彩）が変化する機能を備えるものであっても良い。
【００２５】
電極１６，１７は、電気回路１４の電路を開閉するために用いられる電気的に接続部位であり、本実施の形態では、ハウジング１２の底面よりそれぞれ僅かに突出して形成された電極棒である。この一対の電極１６，１７の間隔は、電解液による導電性が発揮できる程度の距離に近づけることで形成するものとしている。
図２において、一方の電極１６は、ハウジング１２の底面より僅かに突出し、また、他方の電極１７は、一方の電極１６とは少し離れた位置においてハウジング１２の底面より僅かに突出して示されている。
【００２６】
電源部１８は、発光装置１５に電力を供給する電力発生装置をいい、たとえばアルカリ電池やリチウム電池、酸化銀電池、水銀電池等、小型の電源をいう。図２において、ボタン形（コイン形）電池１８が示されており、本実施の形態の場合、具体的には、１．５Ｖのアルカリボタン電池１個を設置したものとすることができる。この電源部１８の数は限定されるものではなく、また、電源部１８はバネ材（コイルバネ）１９の付勢力で固定されている。
【００２７】
図２において、ハウジング１２は、その底面側よりスイッチ機構の電気回路１４や発光装置１５、電源部１８等を密封収容することができるように、上蓋枠体２１と底蓋２２を備えものとなっている。
この底蓋２２は、電源部１８の交換が可能なように、ハウジング１２に対して着脱自在な構造としても良いし、開封不可能なように、接着剤等によってハウジング１２に封着させたものとしても良い。
【００２８】
電解液は、電解質を含む水溶液のことであり、陽イオンと陰イオンに電離する電解質を溶質として水に溶かしたとき電流を通す物質を水溶液のことをいう。この電解液としては、たとえば、入浴剤が溶解したお風呂の湯を挙げることができる。
【００２９】
この湯（電解液）の中に玩具１０を入れると、電解質が陽（プラス）イオンと陰（マイナス）イオンに解離し、陰イオンは一方の電極１６である陽（プラス）極に移動し、陽イオンは陰（マイナス）極である他方の電極１７に移動する。そして、これら正負のイオンがキャリアとなって導電性を発揮して電気回路１４の電路が閉じる（スイッチが入る）ことになる。
一方、湯（電解液）の中から玩具を出し、電極１６，１７間に湯が存在しなくなると、上記反応は起こらず、電気回路１４の電路が開く（スイッチが切れる）ことになる。
【００３０】
また、ハウジング１２よりそれぞれ突出する電極１６，１７の間隔は、電解液の存在により短絡することが出来れば特に限定されないが、互いに接近させる程導電率が上がり、発光装置１５（たとえば、発光ダイオード）がより明るく点灯する。
【００３１】
次に、図３を参照して、玩具の動作について説明する。
まず、図３（ａ）に示すように、本実施の形態に係る入浴用玩具１を準備する。このとき、玩具１０のハウジング１２の外側に出ている電極１６，１７は水溶性の固形入浴剤１１に覆われており、その間に電解液は存在していないので、埋入された玩具１０は発光していない。
【００３２】
次いで、図３（ｂ）に示すように、入浴用玩具１を、電解液としてお風呂の湯の中に浸漬する。そうすると、固形入浴剤１１が湯に溶解し、ハウジング１２の外側に出ている電極１６，１７が露呈すると共に、その周囲を湯が覆って短絡し、発光器１５が点灯するものとなる。
【００３３】
このように本考案に係る入浴用玩具１は、ハウジング１２の内部に浮き部１３を密封収容すると共に、ハウジング１２の外部に一対の電極１６，１７を露呈して配した構造であるので、これを水中（浴槽の湯の中）へ投入すると、固形入浴剤１１が溶解することで、水中で電極１６，１７が自動的に短絡して発光装置１５が所定の機能を発揮すると共に、玩具１０が自動的に浮上してくるように動作することとなる。
【００３４】
このような本考案に係る入浴用玩具１は、固形入浴剤１１の内部に埋入されていた玩具１０が露呈し、発光装置１５が点灯することにより、入浴時に視覚的変化を楽しむことができると共に、点灯する発光器の色彩で心身がリラックスする効果が期待できる。しかも、固形入浴剤１１の内部から露呈した玩具１０は、その後も単独で遊ぶことができるので、入浴時に興味を引く要素となって無理なく入浴時間を長く確保することができものとなり、リラクゼーション効果をより高めることができる。
【００３５】
また、発光装置１５は、予め設定した発色プログラムに従って発色を変化させる制御部を備え、電極１６，１７が短絡することでこの制御部が動作するものとしても良い。
【００３６】
＜第２の実施の形態＞
上記第１の実施の形態においては、発光装置が１つだけ備えられた発光玩具について説明したが、本考案の入浴用玩具はこれに限定されない。したがって、本考案では、複数の発光装置が備えられたものとしても良い。
なお、以下に述べる他の各実施の形態では、上述した第１の実施の形態と異なる部分を中心に説明する。したがって、第１の実施の形態と同様の構成部分は同じ符号を付してその説明は省略し、特に説明しない限り同じであるものとする。
【００３７】
本実施の形態における入浴用玩具は、上述した第１の実施の形態における入浴用玩具とは、玩具のハウジング内に、複数の発光装置を備えている点で異なる。
すなわち、図４に示すように、本実施の形態における発光玩具２０は、ハウジング１２内に、浮き部１３と、二つの発光装置２５ａ，２５ｂと、この発光装置２５ａ，２５ｂが発光器として機能するための各電気回路２４ａ，２４ｂと、電源部１８とを密封収容する。また、発光装置２５ａ，２５ｂは、電気回路２４ａ，２４ｂの電路を開閉する一対の電極１６，１７がハウジング１２の外側にそれぞれ露呈して配された構成となっている。
【００３８】
電気回路２４ａ，２４ｂは、電路が閉じた（スイッチが入っている）状態の時に、発光装置２５ａ，２５ｂごとに異なる色彩を呈して点灯したり、発光装置２５ａ，２５ｂの色彩がそれぞれ経時的に変化したりするように適宜設計されている。
【００３９】
発光装置２５ａ，２５ｂは、たとえば発光ダイオード（ＬＥＤ）や電球等の発光器であって、共に同じ色彩を呈するものや、それぞれ異なる色彩を呈するものとすることができる。
図４において、２つの発光装置２５ａ，２５ｂが示されているが、これに限定せず、３つ以上の複数個の発光装置を備えるようにしても良い。
【００４０】
このような発光玩具であれば、広範にわたり一層効果的に発光を行うことが出来ると共に、複数の色彩により視覚的変化を楽しむことができ、成人であっても入浴時に興味を引いて無理なく入浴時間を長く確保することができ、リラクゼーション効果をより高めることができる。
【００４１】
＜第３の実施の形態＞
また、上記実施の形態においては、玩具が発光装置を備える場合について説明したが、本考案の入浴用玩具はこれに限定されない。したがって、本考案では、上記実施の形態における発光装置に代えて、発音装置を備えたものとしても良い。
図５に示すように、本実施の形態における入浴用玩具は、ハウジング１２内に、浮き部１３や電気回路３４、動力部としての発音装置３５、電源部１８を密封収容するとともに、一対の電極１６，１７がハウジング１２の外側にそれぞれ露呈して配された玩具３０を埋入したものとしても良い。
【００４２】
発音装置３５は、電極１６，１７での電気回路の電路の開閉によりメロディ又は音声を発生する。
この発音装置３５は、たとえば、メロディを鳴らすメロディＩＣや、音声を発する音声合成ＬＳＩとすることができる。
【００４３】
メロディＩＣは、たとえば、あらかじめ合成された所定の音楽、もしくは、あらかじめ録音された音楽を再生させるものとすることができる。この音楽としては、たとえば、湯に浸かって身体が温まるのに十分な所定時間を演奏するものとすることができる。
一方、  音声合成ＬＳＩは、たとえば、あらかじめ合成された所定のメッセージや、あらかじめ録音されたフレーズを再生させるものとすることができる。この音声としては、たとえば、湯に浸かって身体が温まるのに十分な所定時間を数える音声とすることができる。
【００４４】
このような入浴用玩具であれば、発音装置によるメロディ又は音声の発生により入浴時に聴覚的変化を楽しむことができ、成人であっても入浴時に興味を引いて無理なく入浴時間を長く確保することができ、リラクゼーション効果をより高めることができる。
【００４５】
なお、上記実施の形態では何れも、水溶性固形剤として入浴剤を用いた場合について説明したが、本考案の入浴用玩具を構成する水溶性固形剤はこれに限定されるものでは無く、浴槽の中に入れることで容易に溶ける水溶性の物質であって加圧成形することができるものであれば、香気や薬効を有さない入浴剤以外のものであっても良い。
【符号の説明】
【００４６】
Ｗ  湯、１  入浴用玩具、１０，２０，３０  玩具、１１  水溶性固形剤（入浴剤）、１２  ハウジング、１３  浮き部、１４，２４，３４  電気回路、１５，２５ａ，２５ｂ  発光装置（動作部）、１６，１７  電極、１８  電源部、１９  バネ材、２１  上蓋枠体、２２  底蓋、３５  発音装置（動作部）。
【図１】
0003188572.tif 000003
【図２】
0003188572.tif 000004
【図３】
0003188572.tif 000005
【図４】
0003188572.tif 000006
【図５】
0003188572.tif 000007